(57)【要約】    【課題】エアポンプが取り付けられた場合に、エアチューブの屈曲ないし湾曲を防止して確実に空気を導入することができるオトリ缶の提供。    【解決手段】このオトリ缶１０は、本体１１と、本体１１の上面１８に着脱される外蓋とを備える。本体１１の上面１８開口が設けられている。この開口を開閉する内蓋３２が設けられている。内蓋３２は、貫通孔３８、３９を備える。各貫通孔３８、３９は、内蓋３２の対角線上に対称に配置されている。内蓋３２は、副蓋４１を備えている。貫通孔３９は、副蓋４１に設けられ、副蓋４１の外縁４４まで切り欠かれている。【選択図】図２
2007105011.tif 000002
【特許請求の範囲】
【請求項１】
上面に設けられた開口を開閉する内蓋を備えた容器状のオトリ缶本体と、
オトリ缶本体の上面に着脱自在に設けられた外蓋とを有するオトリ缶であって、
外蓋の天面に設けられ、エアポンプを収容保持し得るポンプ保持部と、
外蓋の隅部に対称に配置され、上記エアポンプから空気の供給を受けると共にこれを外蓋の内側にバイパスし得る一対のバイパス部と、
内蓋の上記一対のバイパス部の直下に対応する位置に設けられ、各バイパス部に接続されるエアチューブが挿通され得る一対の貫通孔とを有するオトリ缶。
【請求項２】
上記内蓋は、当該内蓋の上面に設けられた開口を開閉する副蓋を備えており、
上記一対の貫通孔のうち少なくとも一つは、上記副蓋に設けられ且つ当該副蓋の外縁まで切り欠かれている請求項１に記載のオトリ缶。
【請求項３】
上記ポンプ保持部は、当該天面の両端部に対称に設けられた凹部からなり、
上記バイパス部は、上記凹部の側壁に設けられている請求項１又は２に記載のオトリ缶。
【発明の詳細な説明】
【技術分野】
【０００１】
本発明は、鮎釣りに使用されるオトリ鮎を保存するためのオトリ缶の構造に関するものである。
【背景技術】
【０００２】
鮎釣りでは、「友釣り」と称される釣法が採用されることが多い。この友釣りは、掛け針を備えた鮎がオトリとして使用され、釣人は、このオトリ鮎を操作してターゲットとなる鮎のテリトリーに侵入させる。ターゲットとなる鮎は、侵入したオトリ鮎を自己のテリトリーから排除すべく当該オトリ鮎にアタックする。このときに、オトリ鮎に設けられた掛け針がターゲットとなる鮎に掛かり、この鮎が釣り上げられる。
【０００３】
オトリ鮎は、掛け針を備えると共にターゲットとなる鮎のテリトリーに繰り返して侵入するから、やがてオトリ鮎の体力が衰える。体力の衰えた鮎は、ターゲットとなる鮎のアタックを誘発するオトリとしての機能を発揮しなくなるため、釣人は、実釣中に適宜オトリ鮎を交換する必要がある。したがって、友釣りの実釣では、複数尾のオトリ鮎が体力を保持したまま保存されていることが重要である。そのため、従来から、友釣りの実釣においては、オトリ缶と称されるオトリ鮎の保存用箱が用いられている（例えば、特許文献１〜特許文献３参照）。
【０００４】
オトリ缶は、内部に水と共に鮎を収容することができる。しかも、このオトリ缶は、水中に配置されることにより、内部に収容された水が外部の水との間で循環し、常に新鮮な水が供給されるようになっている。このため、オトリ鮎は、実釣中に長時間にわたって保存される。
【０００５】
【特許文献１】実開昭６３−２６２７９号公報
【特許文献２】特開２００５−４００２６号公報
【特許文献３】特開２００５−４００２８号公報
【発明の開示】
【発明が解決しようとする課題】
【０００６】
ところで、釣人は、釣りの前段階において釣餌店等でオトリ鮎を購入するのが一般的であり、釣人は、購入したオトリ鮎を水と共にオトリ缶に入れ、これを釣場まで携帯する。このとき、オトリ缶に入れられたオトリ鮎の数が多い場合や、釣場までの移動時間が長い場合には、オトリ缶内の水に含まれる酸素量が少なくなり、オトリ鮎の体力が衰えてしまうおそれがある。この問題が解決されるためには、オトリ缶内に空気を供給する空気供給装置が当該オトリ缶に設けられればよい。
【０００７】
一般に空気供給装置はオトリ缶の外蓋の天面に取り付けられる。ただし、この外蓋は、オトリ鮎が搬送される際にはオトリ缶本体に取り付けられるが、実釣中には取り外される。すなわち、この外蓋は、オトリ缶本体に対して繰り返して着脱されるものである。一方、空気供給装置は、通常、エアポンプとこれに接続されたエアチューブとを有し、このエアチューブが外蓋の天面からオトリ缶の内部へ配管されなければならない。しかも、このエアチューブは、極端に湾曲されることなく、最短距離でオトリ缶の内部へ導かれることが望ましい。つまり、外蓋がオトリ缶本体に対して繰り返し着脱されても、空気供給装置のエアチューブが屈曲ないし湾曲されることなく最短距離でオトリ缶内へ導かれるものであることが望ましい。
【０００８】
本発明は、かかる背景のもとになされたものであって、その目的は、空気供給装置が取り付けられた場合に、エアチューブの屈曲ないし湾曲を防止して確実に内部に空気を導くことができるオトリ缶を提供することである。
【課題を解決するための手段】
【０００９】
(1) 上記目的が達成されるため、本発明に係るオトリ缶は、上面に設けられた開口を開閉する内蓋を備えた容器状のオトリ缶本体と、オトリ缶本体の上面に着脱自在に設けられた外蓋とを有するオトリ缶であって、外蓋の天面に設けられ、エアポンプを収容保持し得るポンプ保持部と、外蓋の隅部に対称に配置され、上記エアポンプから空気の供給を受けると共にこれを外蓋の内側にバイパスし得る一対のバイパス部と、内蓋の上記一対のバイパス部の直下に対応する位置に設けられ、各バイパス部に接続されるエアチューブが挿通され得る一対の貫通孔とを有する。
【００１０】
釣人は、オトリ缶本体内に水と共にオトリ鮎を挿入し、内蓋を閉じ外蓋を取り付けることにより、安全にオトリ鮎を搬送することができる。釣人は、必要であれば外蓋にエアポンプを取り付けることができる。エアポンプから吐出される空気は、バイパス部を通って外蓋の外側から内側にバイパスされる。内蓋に上記貫通孔が設けられているから、バイパス部にエアチューブが接続された場合には、当該エアチューブは、極端に屈曲ないし湾曲することなく垂下した状態で内蓋を貫通してオトリ缶本体内に延びる。したがって、オトリ缶本体に収容されたオトリ鮎に確実に空気が供給される。しかも、上記バイパス部は、外蓋の隅部の対称な位置に配置され、且つ上記貫通孔もバイパス部に対応する位置に設けられているから、外蓋がオトリ缶に対して如何なる向きに取り付けられようとも、上記バイパス部の直下に上記貫通孔が存在することになる。したがって、外蓋の向きにかかわらず、上記エアチューブは、内蓋を貫通して真っ直ぐにオトリ缶本体内に延び、確実にオトリ鮎に空気が供給される。
【００１１】
(2) 上記内蓋は、当該内蓋の上面に設けられた開口を開閉する副蓋を備えており、上記一対の貫通孔のうち少なくとも一つは、上記副蓋に設けられ且つ当該副蓋の外縁まで切り欠かれているのが好ましい。
【００１２】
上記エアチューブの先端部、すなわち、当該エアチューブのオトリ缶本体の内側の端部には、フィルター機能付きエア分散器等のオプション部品が取り付けられることがある。一般にこのようなオプション部品は、その外形寸法が上記貫通孔よりも大きい。このため、このオプション部品が取り付けられた状態では、釣人は、外蓋を外した際に上記エアチューブを副蓋から抜き取ることができない。しかし、本発明では、上記貫通孔は、副蓋の外縁まで切り込まれているから、この副蓋が開かれると、上記エアチューブが当該貫通孔から離脱する。したがって、上記エアチューブに種々のオプション部品が装着されていても、釣人は、外蓋を外した際に簡単に上記エアチューブも引き抜くことができる。
【００１３】
(3) 上記ポンプ保持部は、当該天面の両端部に対称に設けられた凹部からなり、上記バイパス部は、上記凹部の側壁に設けられているのが好ましい。
【００１４】
この場合、外蓋に複数のエアポンプが取り付けられる。そして、バイパス部は、各エアポンプの近傍に配置されることになるから、各エアポンプから吐出された空気は、直ちにバイパス部を通って外蓋の外側から内側にバイパスされる。しかも、大量の空気がオトリ缶本体内に供給されるから、オトリ鮎の体力低下が効果的に防止される。
【発明の効果】
【００１５】
本発明によれば、外蓋の取付方向にかかわらずエアチューブが湾曲ないし屈曲されることなく真っ直ぐにオトリ缶本体内に導かれるので、オトリ缶本体内に確実に空気が供給され得る。したがって、オトリ缶内に収容されたオトリ鮎は、長時間にわたって体力が維持される。
【発明を実施するための最良の形態】
【００１６】
以下、適宜図面が参照されつつ、好ましい実施形態に基づいて本発明が詳細に説明される。
【００１７】
図１は、本発明の一実施形態に係るオトリ缶の斜視図である。
【００１８】
オトリ缶１０は、鮎釣り（友釣り）の際に釣人によって携行される。釣人は、このオトリ缶１０内にオトリ鮎を水と共に収容することにより、オトリ鮎を保存することができる。このオトリ缶１０は、本体１１（オトリ缶本体）と、これに取り付けられた外蓋１２とを備えている。この外蓋１２は、本体１１に対して着脱自在となっている。
【００１９】
図２は、上記本体１１の斜視図であって、上記外蓋１２が取り外された状態を示している。
【００２０】
この外蓋１２は、合成樹脂等によって一体的に成形されている。図１が示すように、外蓋１２は一対のラッチ１３を備えている。各ラッチ１３は、外蓋１２の両側の側縁にそれぞれ設けられている。各ラッチ１３は、矢印１４の方向に回動自在となっている。外蓋１２が本体１１の上面１８（図２参照）に取り付けられた状態で各ラッチ１３が倒伏されると、各ラッチ１３が本体１１の上面１８に係合し、これにより、外蓋１２が本体１１に固定される。また、その状態から各ラッチ１３が起立されると、各ラッチ１３と本体１１との係合が解除され、外蓋１２は、本体１１から取り外される。
【００２１】
外蓋１２の天面１５に凹部１６、１７（ポンプ保持部）が設けられている。各凹部１６、１７は、上記天面１５の両端部に左右対称に配置されている。もっとも、各凹部１６、１７は、天面１５の中心を基準として中心対称となる位置に配置されていてもよい。なお、凹部１６又は凹部１７のうちいずれか一方のみが天面１５に設けられていてもよい。この凹部１６、１７は、図示されていないエアポンプを収容し、保持することができる。本実施形態では、凹部１６、１７の周囲にベルト連結部１９、２０が設けられている。このベルト連結部１９、２０に図示されていないベルトが連結されるようになっている。上記凹部１６、１７にエアポンプが収容された状態で上記ベルトが当該エアポンプに巻き掛けられ、さらに上記ベルト連結部１９、２０に係合されることにより、上記エアポンプは、このベルトに締め付けられて上記凹部１６、１７内で確実に固定される。なお、このベルト連結部１９、２０は省略されていてもよい。
【００２２】
外蓋１２の隅部にバイパス部２１、２２が設けられている。これらバイパス部２１、２２は、上記エアポンプが吐出する空気を外蓋１２の内側へバイパスする。本実施形態では、バイパス部２２は、上記凹部１７の壁面２３に設けられており、また、バイパス部２１は、上記凹部１６の壁面に設けられている。図１では、凹部１６の壁面が図示されていないが、バイパス部２１及びバイパス部２２は、同図が示すように外蓋１２の隅部に対称な位置に配置されている。具体的には、天面１５の中心を基準として中心対称となる位置に配置されている。本実施形態では、バイパス部２１、２２は、それぞれ上記凹部１６、１７に対応して設けられているから、上記凹部１６及び凹部１７のうちいずれか一方が省略された場合は、これに応じてバイパス部２１又はバイパス部２２も省略される。
【００２３】
図３は、上記外蓋１２の要部拡大斜視図であって、外蓋１２の裏面が図示されている。
【００２４】
バイパス部２２は、ポンプ連結部２５（図１参照）と、スイベルジョイント２６と、チューブ連結部２７とを備えている。本実施形態では、ポンプ連結部２５は管状に形成されている。上記エアポンプの空気吐出口は、例えばチューブを介してポンプ連結部２５に連結される。また、チューブ連結部２７も管状に形成されている。本実施形態では、このチューブ連結部２７にエアチューブ２８が連結されている。このチューブ連結部２７は上記スイベルジョイント２６に接続されているから、エアチューブ２８は、スイベルジョイント２６の回転中心軸２９の回りに回動し、姿勢を変化させることが可能である。このエアチューブ２８は、本体１１の内部（後述の収容室３１）に空気を導く。エアチューブ２８の先端に分散器３０が取り付けられている。この分散器３０は、円筒状に形成されており、その周面に多数の微細孔が貫通形成されている。これにより、エアチューブ２８によって送給された空気は、分散器３０から均等に分散放出される。なお、バイパス部２１もバイパス部２２と同様の構成であるため、その説明は省略される。
【００２５】
図２が示すように、本体１１は、例えば合成樹脂等によって中空の直方体状に形成されている。本体１１の内部に、オトリ鮎が収容される収容室３１が設けられている（図５参照）。もっとも、本体１１の外形形状は、直方体状に限定されるものではなく、他の形状が採用されてもよいことは勿論である。
【００２６】
本体１１の上面１８に開口が設けられており、本体１１は、この開口を開閉する内蓋３２を備えている。この内蓋３２によって開閉される開口は、上記収容室３１と連通している。この内蓋３２も合成樹脂等により形成されている。内蓋３２は、ヒンジ３４を介して本体１１の上面１８に取り付けられている。このため、内蓋３２は、本体１１に対して矢印３６の方向に回動し、上記開口を閉じる姿勢と、上記開口を開放する姿勢との間で姿勢変化するようになっている。内蓋３２の外形形状は、上記開口の形状に対応されている。したがって、内蓋３２が上記開口を閉じる姿勢となったときは、上記開口にぴったりと嵌め込まれるようになっている。
【００２７】
内蓋３２の隅部に貫通孔３８、３９が設けられている。図２が示すように、２つの貫通孔３８、３９は、内蓋３２の対角線上の端部にそれぞれ設けられている。具体的には、貫通孔３８は、上記外蓋１２が本体１１に取り付けられた状態で、上記バイパス部２１の直下に対応する位置に、すなわち、このバイパス部２１と対向する位置に設けられている。また、貫通孔３９は、上記外蓋１２が本体１１に取り付けられた状態で、上記バイパス部２２の直下に対応する位置に、すなわち、このバイパス部２２と対向する位置に設けられている。各貫通孔３８、３９は、内蓋３２を貫通して本体１１の上記収容室３１と連通している。各貫通孔３８、３９の内径寸法は、上記エアチューブ２８（図３参照）が挿通され得るように設定されている。各貫通孔３８、３９が上記バイパス部２１、２２の直下に対応する位置に設けられていることによる作用効果については後述される。
【００２８】
また、内蓋３２は、ロック部材３５を備えている。内蓋３２が閉じられた状態でロック部材３５が操作されることによって、内蓋３２は、当該閉じ姿勢にロックされる。この内蓋３２が上記開口を閉じると、当該内蓋３２の上面が本体１１の上面１８と同一平面上に配置され、当該上面１８の一部を構成する。
【００２９】
図２が示すように、上記内蓋３２は、その上面に副蓋４１を備えている。図４は、上記本体１１の要部拡大平面図であって、この副蓋４１の構成を詳細に示している。また、図５は、上記本体１１の斜視図であって、上記副蓋４１が開放された状態を示している。
【００３０】
図５が示すように、内蓋３２の上面４０に開口３３が設けられている。内蓋３２に設けられた副蓋４１は、この開口３３を開閉する。この開口３３は、上記収容室３１と連通している。この副蓋４１も合成樹脂等により形成されている。副蓋４１は、ヒンジ４２を介して内蓋３２の上面４０に取り付けられている。このため、副蓋４１は、図２及び図４が示すように、本体１１に対して倒伏して上記開口３３を閉じる姿勢と、図５が示すように、上記開口３３を開放する姿勢との間で姿勢変化するようになっている。この副蓋４１の外形形状は、上記開口３３の形状に対応されている。したがって、副蓋４１が上記開口３３を閉じる姿勢となったときは、この開口３３にぴったりと嵌め込まれるようになっている。また、内蓋３２は、ロック部材４３を備えている。副蓋４１が閉じられた状態でロック部材４３が操作されることによって、副蓋４１は、当該閉じ姿勢にロックされる。この副蓋４１が上記開口３３を閉じると、当該副蓋４１の上面が本体１１の上面１８と同一平面上に配置され、当該上面１８の一部を構成する。
【００３１】
図４及び図５が示すように、内蓋３２に副蓋４１が設けられているから、上記貫通孔３９は、この副蓋４１の隅部に設けられている。しかも、この貫通孔３９は、当該副蓋４１の外縁４４まで切り欠かれている。すなわち、上記貫通孔３９は、鍵穴状に形成されており、副蓋４１の外側へ開放されている。なお、本実施形態では、この貫通孔３９のみが副蓋４１の外縁４４まで切り欠かれているが、上記貫通孔３８も内蓋３２の外縁まで切り欠かれていてもよい。なお、本実施形態では、図２が示すように、内蓋３２の中央から一方側に上記開口３３が設けられ、この開口３３を開閉する副蓋４１が設けられているが、内蓋３２の中央から他方側にも同様の開口が設けられ、これを開閉する副蓋が設けられてもよい。このように、上記貫通孔３９が副蓋４１の外縁４４まで切り欠かれることによる作用効果については後述される。
【００３２】
副蓋４１の上面に開口が設けられており、副蓋４１は、この開口を開閉する扉４５を備えている。この扉４５は、いわゆる観音開き式に構成されており、一対の扉片４６、４７を備えている。各扉片４６、４７は、それぞれ、蝶番４８を介して副蓋４１に取り付けられている。ただし、図５は、この蝶番４８を模式的示している。釣人が一対の扉片４６、４７を本体１１の上方から押圧することにより、一対の扉片４６、４７は上記蝶番４８を中心に回動する。これにより、扉４５は、副蓋４１に対して開くようになっている。なお、各扉片４６、４７は、副蓋４１の開口を常時閉塞するように弾性的に付勢されているのが好ましい。各扉片４６、４７を付勢する手段としては、典型定期にはねじりコイルバネが採用され得る。
【００３３】
釣人は、本実施形態に係るオトリ缶１０を次の要領で使用する。
【００３４】
釣人は、オトリとして使用する鮎を本体１１の収容室３１内に水と共に収容し、上記内蓋３２を閉じると共に外蓋１２を取り付ける。これにより、釣人は、安全にオトリ鮎を搬送することができる。さらに、釣人は、外蓋１２の凹部１６、１７（図１参照）にエアポンプを取り付けることができる。エアポンプは、各凹部１６、１７に設けられたバイパス部２１、２２に接続される。エアポンプから吐出される空気は、バイパス部２１、２２によって外蓋１２の外側から内側にバイパスされる。
【００３５】
また、図２が示すように、内蓋３２に上記貫通孔３８、３９が設けられている。この貫通孔３８、３９は、前述のように、バイパス部２１、２２の直下に対応する位置に設けられているから、バイパス部２１、２２に接続されたエアチューブ２８（図３参照）は、極端に屈曲したり湾曲したりすることなく、真直に垂下した状態で貫通孔３８、３９を挿通し、上記収容室３１内に延びる。したがって、上記収容室３１に収容されたオトリ鮎に確実に空気が供給される。
【００３６】
しかも、上記バイパス部２１、２２は、前述のように、外蓋１２の対角線上に対称に配置され、且つバイパス部２１、２２に接続されるエアチューブ２８が挿通される貫通孔３８、３９もバイパス部２１、２２に対応する位置に設けられている。したがって、外蓋１２が本体１１に対して如何なる向きに取り付けられようとも、すなわち、図１において、凹部１７が手前側に配置されるように外蓋１２が本体１１に取り付けられても、上記バイパス部２１、２２の直下に上記貫通孔３８、３９が存在することになる。これにより、外蓋１２の向きにかかわらず、上記エアチューブ２８は、内蓋３２を貫通して真っ直ぐに上記収容室３１内に延び、確実にオトリ鮎に空気が供給される。
【００３７】
本実施形態に係るオトリ缶１０によれば、上記外蓋１２の取付方向にかかわらず上記エアチューブ２８が湾曲ないし屈曲されることなく真っ直ぐにオトリ缶１０の本体１１の内部に導かれるので、上記収容室３１内に確実に空気が供給され、オトリ鮎の体力が長時間にわたって維持される。
【００３８】
特に、本実施形態に係るオトリ缶１０では、上記内蓋３２が上記副蓋４１を備えており、図４及び図５が示すように、上記貫通孔３９が、この副蓋４１に設けられ且つ当該副蓋４１の外縁４４まで切り欠かれている。したがって、副蓋４１が開かれると、上記エアチューブ２８は、当該貫通孔３９の内部から上記外縁４４側へ容易に抜脱される。そして、再び副蓋４１が閉じられると、上記エアチューブ２８は、自動的に上記貫通孔３９内に挿入される。
【００３９】
ところで、上記エアチューブ２８の先端部には、上記分散器３０その他のオプション部品が取り付けられる。このオプション部品の仕様はさまざまであって、オプション部品の外形寸法は、上記貫通孔３８、３９よりも大きい場合もある。このような場合、オプション部品がエアチューブ２８に取り付けられたままでは、釣人は、外蓋１２を外した際にエアチューブ２８を副蓋４１から抜き取ることができず、一般にオトリ缶の使い勝手が悪くなる。ところが、本実施形態に係るオトリ缶１０では、前述のように副蓋４１の開閉に合わせて上記エアチューブ２８が貫通孔３９に挿抜されるから、上記エアチューブ２８に種々のオプション部品が装着されていても、釣人は、外蓋１２を外した際に簡単に上記エアチューブも取り外すことができる。
【００４０】
さらに、本実施形態に係るオトリ缶１０では、一対の凹部１６、１７が設けられているため、複数のエアポンプが搭載され得る。したがって、大量の空気が上記収容室３１に供給されるので、多くの鮎が収容室３１内に収容された場合であっても、鮎の体力低下が効果的に防止される。しかも、各凹部１６、１７の壁面にバイパス部２１、２２が設けられているから、各バイパス部は、各エアポンプの近傍に配置されることになる。このため、各エアポンプから吐出された空気は、直ちにバイパス部２１、２２を通って上記外蓋１２の内側へ、すなわち上記収容室３１内に供給されるという利点がある。
【産業上の利用可能性】
【００４１】
本発明は、鮎釣りに仕様されるオトリ缶に適用され得る。
【図面の簡単な説明】
【００４２】
【図１】図１は、本発明の一実施形態に係るオトリ缶の斜視図である。
【図２】図２は、本発明の一実施形態に係るオトリ缶の本体の斜視図である。
【図３】図３は、本発明の一実施形態に係るオトリ缶の外蓋の要部拡大斜視図である。
【図４】図４は、本発明の一実施形態に係るオトリ缶の本体の要部拡大平面図である。
【図５】図５は、本発明の一実施形態に係るオトリ缶の本体の斜視図である。
【符号の説明】
【００４３】
１０・・・オトリ缶
１１・・・本体
１２・・・外蓋
１５・・・天面
１６・・・凹部
１７・・・凹部
１８・・・上面
２１・・・バイパス部
２２・・・バイパス部
２３・・・壁面
２５・・・ポンプ連結部
２６・・・スイベルジョイント
２７・・・チューブ連結部
２８・・・エアチューブ
３０・・・分散器
３１・・・収容室
３２・・・内蓋
３３・・・開口
３８・・・貫通孔
３９・・・貫通孔
４０・・・内蓋の上面
４１・・・副蓋
４４・・・外縁
【図１】
2007105011.tif 000003
【図２】
2007105011.tif 000004
【図３】
2007105011.tif 000005
【図４】
2007105011.tif 000006
【図５】
2007105011.tif 000007